(57)【要約】【課題】  コストをかけず、レンズ付きフイルムユニット設けられた複数の撮影モードの一部を使用不可能にしたレンズ付きフイルムユニットを提供する。【解決手段】  夜景シンクロ撮影モードを備えた多機能型レンズ付きフイルムユニット２の、本体部３の外周に外装ラベル３０を貼り付ける。操作部材２０が切替開口３５から露呈している。操作部材２０は、切替用開口３５によって第１操作位置と第２操作位置にだけ切替が可能に操作部材２０の移動が規制され、日中撮影モード及び日中シンクロ撮影モードのみが使用可能となる。これにより、夜景シンクロ撮影モードを備えた多機能型レンズ付きフイルムユニット２が標準型レンズ付きフイルムユニットに容易に変更できる。【選択図】        図３
2005099389.tif 000002
【特許請求の範囲】
【請求項１】
予め写真フイルムが装填されるとともに撮影機構が組み込まれ、複数の操作位置の間で移動可能な操作部材、及びこの操作部材の移動によって切り替えられる複数の撮影モードを備えた本体部と、前記本体部の少なくとも一部を覆い、前記操作部材の移動を規制して前記複数の撮影モードの一部を使用不可能にする外装体とからなることを特徴とするレンズ付きフイルムユニット。
【請求項２】
前記外装体は、前記複数の操作位置の一部を塞ぐことにより、前記操作部材の移動を規制する移動規制部を備え、前記移動規制部は、その周辺部よりも厚さが厚く形成されていることを特徴とする請求項１記載のレンズ付きフイルムユニット。
【請求項３】
前記本体部には、前記複数の操作位置に対応した開口部が設けられており、前記外装体は、前記開口部の少なくとも一部に挿入される挿入部材を備え、前記挿入部材が前記開口部に挿入されて、前記操作部材の移動を規制することにより、前記複数の撮影モードの一部を使用不可能にすることを特徴とする請求項１記載のレンズ付きフイルムユニット。
【請求項４】
前記外装体は、前記本体部に貼り付けられる外装ラベルであることを特徴とする請求項１または３いずれか記載のレンズ付きフイルムユニット。
【請求項５】
予め写真フイルムが装填され、複数の撮影モードを切り替るために複数の操作位置の間で移動可能な操作部材を有した切替機構及び撮影機構を組み込んだ本体基部と、前記操作部材を露呈させ、かつ前記操作部材の移動を規制することで、前記複数の撮影モードの一部を使用不可能にする開口部を有した前記本体基部の前面側を覆う前カバーとからなることを特徴とするレンズ付きフイルムユニット。
【請求項６】
予め写真フイルムが装填され、複数の撮影モードを切り替るために複数の操作位置の間で移動可能な操作部材及びこの操作部材の移動に連動する各種切替部材を有した切替機構及び撮影機構を組み込んだ本体基部と、前記各種切替部材の少なくとも一つの移動を規制して、前記複数の撮影モードのうち一部を使用不可能にする前カバーとからなることを特徴とするレンズ付きフイルムユニット。
【発明の詳細な説明】
【技術分野】
【０００１】
本発明は、複数の撮影モードを備えたレンズ付きフイルムユニットの操作部材の移動範囲を規制することで、必要な撮影モードのみを使用可能にしたレンズ付きフイルムユニットに関するものである。
【背景技術】
【０００２】
予め写真フイルムが装填された１回使用型の簡易型カメラとして、レンズ付きフイルムユニットが知られている。最も一般的なレンズ付きフイルムユニットとしては、本体部に撮影機構とストロボ装置が組み込まれ、日中撮影モード及び日中シンクロ撮影モードの切替が可能なレンズ付きフイルムユニット（以下、標準型レンズ付きフイルムユニットという）がある。また、レンズ付きフイルムユニットにストロボ装置以外の機能を付加し、夜間シンクロ撮影や近接撮影などが可能なレンズ付きフイルムユニット（以下、多機能型レンズ付きフイルムユニットという）も各種販売されている。例えば、本出願人より販売されている「Ｎｉｇｈｔ＆Ｄａｙ」は、日中撮影モード及び日中シンクロ撮影モードの他に、夜間シンクロ撮影モードの３つの撮影モードを備えている。従って、ユーザは撮影する際に必要な機能や価格などを考慮して、これらのレンズ付きフイルムユニットの中で最適なものを選んで購入することが多い。そのために、レンズ付きフイルムユニットはその種類によって、市場への供給量が異なっている。
【０００３】
また、使用済みのレンズ付きフイルムユニットは、製造メーカーによって回収され、構成部品や各ユニットごとに分解されて、部品又はユニットごとに再使用あるいは原材料に戻して再生使用してリサイクルしている。多機能型レンズ付きフイルムユニットは、構成部品や組み立て工程が、標準型レンズ付きフイルムユニットと異なるために、使用済みの多機能型レンズ付きフイルムユニットがリサイクルされる場合には、再び同じ機能を有した多機能型レンズ付きフイルムユニットになる。
【発明の開示】
【発明が解決しようとする課題】
【０００４】
しかしながら、多機能型レンズ付きフイルムユニットは、夜景シンクロ撮影などが可能な特殊な機能を備えていることから、装填される写真フイルムも標準型レンズ付きフイルムユニットでは、例えば、ＩＳＯ感度４００程度の写真フイルムが装填されているが、多機能型レンズ付きフイルムユニットでは、ＩＳＯ感度１６００程度の高感度の写真フイルムが装填されており、多機能型レンズ付きフイルムユニットは標準型レンズ付きフイルムユニットに比べて価格が高い。さらに、一般的な写真撮影なら、標準型レンズ付きフイルムユニットで十分に良好な写真が撮影できることから、標準型レンズ付きフイルムユニットは多機能型レンズ付きフイルムユニットに比べて市場での需要が多い。そのために、市場の需要に応じて、リサイクル又は新たに製造された多機能型レンズ付きフイルムユニットを、標準型レンズ付きフイルムユニットに変更して市場に供給したいという要望があった。
【０００５】
本発明は、多機能型レンズ付きフイルムユニットが有する複数の撮影モードのうち、部品の一部を交換することで、コストをかけずに、必要な撮影モードだけが使用可能となるレンズ付きフイルムユニットを提供することを目的とする。
【課題を解決するための手段】
【０００６】
上記目的を達成するために、本発明のレンズ付きフイルムユニットは、予め写真フイルムが装填されるとともに撮影機構が組み込まれ、複数の操作位置の間で移動可能な操作部材、及びこの操作部材の移動によって切り替えられる複数の撮影モードを備えた本体部と、前記本体部の少なくとも一部を覆い、前記操作部材の移動を規制して前記複数の撮影モードの一部を使用不可能にする外装体とからなるものである。また、前記外装体は、前記複数の操作位置の一部を塞ぐことにより、前記操作部材の移動を規制する移動規制部を備え、前記移動規制部は、その周辺部よりも厚さが厚く形成してもよい。また、前記本体部には、前記複数の操作位置に対応した開口部が設けられており、前記外装体は、前記開口部の少なくとも一部に挿入される挿入部材を備え、前記挿入部材が前記開口部に挿入されて、前記操作部材の移動を規制することにより、前記複数の撮影モードの一部を使用不可能にしてもよい。また、前記外装体は、前記本体部に貼り付けられる外装ラベルであることが好ましい。
【０００７】
また、予め写真フイルムが装填され、複数の撮影モードを切り替るために複数の操作位置の間で移動可能な操作部材を有した切替機構及び撮影機構を組み込んだ本体基部と、前記操作部材を露呈させ、かつ前記操作部材の移動を規制することで、前記複数の撮影モードの一部を使用不可能にする開口部を有した前記本体基部の前面側を覆う前カバーとからなるものである。
【０００８】
また、予め写真フイルムが装填され、複数の撮影モードを切り替るために複数の操作位置の間で移動可能な操作部材及びこの操作部材の移動に連動する各種切替部材を有した切替機構及び撮影機構を組み込んだ本体基部と、前記各種切替部材の少なくとも一つの移動を規制して、前記複数の撮影モードのうち一部を使用不可能にする前カバーとからなるものである。
【発明の効果】
【０００９】
本発明のレンズ付きフイルムユニットによれば、予め写真フイルムが装填されるとともに撮影機構が組み込まれ、複数の操作位置の間で移動可能な操作部材、及びこの操作部材の移動によって切り替えられる複数の撮影モードを備えた本体部と、本体部の少なくとも一部を覆い、操作部材の移動を規制して複数の撮影モードの一部を使用不可能にする外装体とからなるので、コストをかけずに、複数の撮影モードを備えたレンズ付きフイルムユニットを必要な撮影モードのみ使えるようにしたレンズ付きフイルムユニットに容易に変更することができる。
【発明を実施するための最良の形態】
【００１０】
図１は、本発明を実施した多機能型のレンズ付きフイルムユニットを示す外観斜視図である。多機能型レンズ付きフイルムユニット２は、図示しない本体基部に各種撮影機構が組み込まれており、この本体基部の前後から組み付けられている前カバー４及び後カバー５によって本体部３構成されている。この本体部３の外周には、巻き付けられるようにして貼付される外装ラベル６が設けられている。外装ラベル６には、本体部の各部を露呈させるための開口が形成されている。  
【００１１】
本体部３の前面には、撮影レンズ８，ファインダ９，ストロボ発光部１０，撮影モード切替部１１等が設けられている。本体部３の上面には、シャッタボタン１５，カウンタ表示窓１６，シグナル用開口１７等が設けられている。本体部３の背面からは、撮影後のフイルム巻き上げに用いられる巻上げノブ１８の一部が露呈されている。
【００１２】
図２に示すように、撮影モード選択部１１は、前カバー４に形成された操作開口部１９と、この操作開口部１９内で移動自在とされた略小判形状の操作部材２０とからなる。操作部材２０は、操作開口部１９内の下方に位置する第１操作位置（図２（Ａ））と、第１操作位置から上方に向けてスライドされた第２操作位置（図２（Ｂ））と、第２操作位置から図中時計方向に回動される第３操作位置（図２（Ｃ））との間で移動自在とされている。
【００１３】
多機能型レンズ付きフイルムユニット２は、操作部材２０が第１操作位置にある際に、ストロボＯＦＦ及び小絞り及び高速シャッタの日中撮影モード（第１撮影モード）となる。また、操作部材２０が第２操作位置にある際には、ストロボＯＮ及び小絞り及び高速シャッタの日中シンクロ撮影モード（第２撮影モード）となる。この第２撮影モードでは、本体部３の上面からシグナル部材２１が突出される。このシグナル部材２１はライトガイドであり、ストロボ充電の完了時に発光する発光素子の光を本体部３の外にガイドして、撮影準備が完了したことを知らせる。
【００１４】
操作部材２０が第３操作位置にある際には、ストロボＯＮ及び大絞り及び低速シャッタの夜間シンクロ撮影モード（第３撮影モード）となる。この第３撮影モードでは、ストロボ発光部１０の前方に減光部材２５が配置され、ストロボ光量の減光が図られる。また、ファインダ９の前方には、板状の指標板２６が配置される。この指標板２６は、ファインダ９内で視認されることにより、多機能型レンズ付きフイルムユニット２が第３撮影モードにあることを撮影者に知らせる。
【００１５】
図３は、多機能型レンズ付きフイルムユニット２を標準型レンズ付きフイルムユニットに変更する説明図である。リサイクル、もしくは新たに製造された本体部３に外装ラベル３０が巻きつけられることで、多機能型レンズ付きフイルムユニット２が標準型レンズ付きフイルムユニットに変更される。外装ラベル３０は、前後カバー４、５が形成されているプラスチックと相溶性を有するプラスチックフイルムをベースに形成された帯形状のラベルであり、標準型レンズ付きフイルムユニットに使用されている外装ラベルに比べて厚く形成されている。
【００１６】
外装ラベル３０の各面には、本体部３に設けられたレンズ周囲隆起部３１、ファインダ９、撮影切替部１１、カウンタ表示部１６、シグナル用開口部１７、図示しない接眼ファインダに対応した位置に、それぞれ隆起部開口３３、ファインダ開口３４、切替部開口３５、表示部開口３６、シグナル開口３７、接眼ファンダ開口３８が設けられており、外装ラベル３０を本体部３に巻き付ける際には、本体部３や外装ラベル３０の上縁部３０ａ、下縁部３０ｂの裏側に粘着剤が塗布されて本体部３に外装ラベル３０が貼り付けられる。なお、外装ラベル３０の表面には、装飾用の文字、模様や使用上の注意を促す説明書きなどが印刷されている。
【００１７】
切替用開口３５は、縦長の略小判形状をしている。外装ラベル３０が本体部３に貼り付けられると、切替用開口３５は、操作部材２０を第３操作位置へ切り替えるために形成された操作開口部１９の一部である開口部１９ａを覆う。切替用開口３５から露呈した操作部材２０は、切替用開口３５によって第１操作位置と第２操作位置にだけ切替が可能に移動が規制される。これにより、操作部材２０を第２操作位置から図中時計方向に回動する第３操作位置への切替を規制している。なお、外装ラベル３０の厚みは、標準型レンズ付きフイルムユニットに使用する外装ラベルに比べて厚いものを使用したが、操作部材２０を第３操作位置への切り換えを確実に防止するために、外装ラベル３０の裏側に開口部１９ａに嵌め込む挿入部材を設けたり、切替開口３５の周辺部を特に厚く形成してもよい。      
【００１８】
次に、上記実施形態の作用を説明する。日中撮影モード、日中シンクロ撮影モード及び夜間シンクロ撮影モードを備えた本体部３に、外装ラベル３０を貼り付ける。外装ラベル３０に形成された各開口から本体部３に設けられた各部が露呈する。操作部材２０は、外装ラベル３０の切替開口３５から露呈しており、この切替開口３５によって操作部材２０は、第１操作位置と第２操作位置にのみ切替可能に移動範囲が規制される。これにより、多機能型レンズ付きフイルムユニット２の撮影モードの切替は、日中撮影モードと日中シンクロ撮影モードのみとなるので、多機能型レンズ付きフイルムユニット２を標準型レンズ付きフイルムユニットに容易に変更することができる。なお、標準型レンズ付きフイルムユニットに変更した多機能型レンズ付きフイルムユニット２においても、外装ラベル３０を外装ラベル６（図１参照）に付け替えるだけで多機能型レンズ付きフイルムユニット２に変更することができる。
【００１９】
本実施形態では、多機能型レンズ付きフイルムユニット２の外装ラベル６を付け替えることで、多機能型レンズ付きフイルムユニット２を標準型レンズ付きフイルムユニットに変更したが、これに代えて、前カバー４を付け替えることで多機能型レンズ付きフイルムユニット２を標準型レンズ付きフイルムユニットに変更してもよい。この場合には、多機能型レンズ付きフイルムユニット２が、リサイクル又は新しく製造される時に、各種撮影機構が組み込まれた本体基部の前面に前カバー４の代わりに前カバー４０を取り付けるものである。
【００２０】
図４に示すように、前カバー４０には、多機能型レンズ付きフイルムユニット２の前カバー４と同じ位置に撮影レンズ８、ファインダ９、ストロボ発光部１０などを露呈させる各種開口部が設けられている。操作開口部４１は、縦長の略小判形状をしており、前カバー４０の本体基部への取り付けは、操作部材２０を第１操作位置または第２操作位置に配置した状態で取り付ける。これにより、操作開口部４１から操作部材２０が露呈するとともに、操作部材２０の移動が規制される。なお、外装ラベルは、標準型レンズ付きフイルムユニットのものが貼り付けられる。
【００２１】
このように、本実施形態では、多機能型レンズ付きフイルムユニット２の各種撮影機構などの構成部品をほとんど取り替えることなく、前カバー４を前カバー４０に取り換えるだけで、多機能型レンズ付きフイルムユニット２を標準型レンズ付きフイルムユニットに変更することができる。また、標準型レンズ付きフイルムユニットに変更された多機能型レンズ付きフイルムユニット２も、リサイクルをする際に前カバー４０を前カバー４に付け替えることで、コストをかけずに、多機能型レンズ付きフイルムユニット２に変更することができる。
【００２２】
また、本実施形態の多機能型レンズ付きフイルムユニットとしては、夜間シンクロ撮影モードでの撮影が可能なレンズ付きフイルムユニットを例に挙げて説明したが、これに代えて、日中撮影モード、日中シンクロ撮影モードの他に、近接撮影モードを備えた多機能型レンズ付きフイルムユニットを標準型レンズ付きフイルムユニットに変更してもよい。      
【００２３】
図５は、近接撮影モードを備えた多機能型レンズ付きフイルムユニット４１の概略図である。なお、上記実施形態と同一構成部材には同一符号を付して重複した説明は省略する。各種撮影機構が組み込まれた本体基部の前後には、前カバー４７、後カバー５が取り付けられて本体部５４が形成されている。本体部５４の外周には、巻き付けられるようにして貼付される外装ラベル４２が設けられている。また、前カバー４７の中央下部には第２操作部材４６と第２操作開口部４８が設けられている。第２操作部材４６は、前カバー４７に設けられた第２操作開口部４８の図中左端に位置する第４操作位置（図５（Ａ））と第２操作開口部４８の図中右端に位置する第５操作位置（図５（Ｂ））に移動自在である。
【００２４】
多機能レンズ付きフイルムユニット４１は、第２操作部材４６が第４操作位置にあり、操作部材２０が操作開口部４３の下端位置にある場合（図５（Ａ））には日中撮影モードとなる。第２操作部材４６が第５操作位置にあり、操作部材２０が操作開口部４３の下端位置にある場合（図５（Ｂ））には、近接撮影モードとなる。なお、第２操作部材４６が第４操作位置にあり、操作部材２０が上端位置にある場合には、日中シンクロ撮影モードとなり、第２操作部材４６が第５操作位置にあり、操作部材２０が上端位置にある場合には、近接撮影時にストロボ発光が行われて近接シンクロ撮影モードとなる。
【００２５】
近接撮影モードでは、第２操作部材４６の第５操作位置への移動操作に伴って、撮影レンズ６を光軸前方の近接撮影位置へと切り替える。さらに、ファインダ９の前面にパララックス補正用の近接撮影用ファインダ視野枠４９（近接用視野枠）、ターゲットマーク５０が、ストロボ発光部１０の前面には遮光板５１がそれぞれ挿入される。近接用視野枠４９は、ファインダ９の光軸と撮影レンズ８の光軸とがずれていることに起因するパララックス（視差）を補正するための視野枠であり、ターゲットマーク５０は、主要被写体を画面中心に写すための目印である。遮光板５１はストロボ光の一部をカットして減光し、露出量がオーバーすることを防ぐものである。
【００２６】
図６に示すように、リサイクルまたは新しく製造された近接撮影モードを有した多機能型レンズ付きフイルムユニット４１を標準型レンズ付きフイルムユニットに変更するために、本体部５４には外装荒ベル４２に換えて外装ラベル５５が貼り付けられる。外装ラベル５５には、前述の外装ラベル３０と同様に、ユニット本体５４に設けられた隆起部開口３３やファインダ開口３４などの各部に対応する各種開口が設けられており、プラスチックフイルムをベースに帯形状のラベルに形成されている。
【００２７】
外装ラベル５５には、第２操作部材４６が第４操作位置にあるときに対応した位置に、第２切替開口５６が設けられている。外装ラベル５５が本体部５４に位置決めされて貼り付けられると、第２操作部材４６は第２切替開口５６から露呈する。そのために、第２操作部材４６は第４操作位置から第５操作位置への移動が規制される。これにより、近接撮影モードが使用不可能となり、多機能型レンズ付きフイルムユニット４１は標準型レンズ付きフイルムユニットの機能だけが使用可能となる。従って、多機能型レンズ付きフイルムユニット４１を容易に標準型レンズ付きフイルムユニットに変更することができる。
【００２８】
なお、本実施形態では、本体部５４に貼り付ける外装ラベル４２を外装ラベル５５に変更することで、近接撮影モードを有した多機能型レンズ付きフイルムユニット４１を標準型レンズ付きフイルムユニットに変更したが、これに代えて、本体基部に組み付けられた前カバー４７を取り換えることで多機能型レンズ付きフイルムユニット４１を標準型レンズ付きフイルムユニットに変更してもよい。
【００２９】
この場合は、多機能型レンズ付きフイルムユニット４１の前カバー４７を、図７に示す前カバー５８に付け替える。前カバー５８には、多機能型レンズ付きフイルムユニット４１の前カバー４７と同じ位置に撮影レンズ８、ファインダ９、ストロボ発光部１０、操作開口部４３などを露呈させる各種開口部が設けられている。第２操作部材４６の第４操作位置に対応する位置の前カバー５８には、第２操作部材４６よりもやや大きい外形を有した第２開口６０が設けられている。第２操作部材４６が第４操作位置に配置された状態で前カバー５８が本体基部に取り付けられる。これにより、第２操作部材４６は、第２切替開口６０によって第４操作位置から第５操作位置への移動が規制され、第４操作位置で固定される。従って、近接撮影モードが使用不可能となり、標準型レンズ付きフイルムユニットの撮影モードだけが使用可能となるので、多機能型レンズ付きフイルムユニット４１を容易に標準型レンズ付きフイルムユニットに変更することができる。
【００３０】
なお、上記実施形態では、夜景撮影モードや近接撮影モードを備えた多能型レンズ付きフイルムユニットの操作部材の移動を規制して、多機能型レンズ付きフイルムユニットを標準型レンズ付きフイルムユニットに変更したが、夜景撮影モードや近接撮影モード時に操作部材２０の操作に連動する切替部材の移動を規制することで多機能型レンズ付きフイルムユニットを標準型レンズ付きフイルムユニットに変更してもよい。例えば、夜景撮影モード時にストロボ発光部１０の前面に配置される減光部材２５の上方への移動を規制する。
【００３１】
図８は、夜景撮影モードに切り替える切替機構の構成を示す。切替機構６５は、図示しない前面カバーとストロボ装置の回路基板の前面に設けられており、操作部材２０、減光部材２５、減光レバー６６、捩りバネ６７、減光用突起６９などから構成されている。操作部材２０が第２操作位置にあるときには、減光用突起６９と、減光レバー６６のリフト片７０とが当接する。これにより、操作部材２０は、捩じりバネ６７の付勢によって第２操作位置に保持される。また、この第２操作位置では、リフト片７０の円形の当接部と、減光用突起６９の平坦なカム部とが当接している。
【００３２】
減光レバー６６は、操作部材２０が第３操作位置に操作される時に、操作部材２０の移動に連動して、減光用突起６９でリフト片７０が押圧され、捩じりバネ６７の付勢に抗して図中反時計方向に回動する。その際に、リンクピン６６ａで減光板２５を持ち上げ、ストロボ発光部１０の前方に挿入させようとする。
【００３３】
前カバーの裏側には、減光部材２５の移動を規制する移動規制部材７２が設けられている。この移動規制部材７２は、前カバーが本体基部に取り付けられると、図中点線に示すように、本体基部に収納されている減光部材２５の上部に配置される。これにより、操作部材２０が第３操作位置に操作されると、操作部材２０に連動して上方に持ち上げられる減光部材２５は、移動規制部材７２に当接してストロボ発光部１０の前面への移動が規制される。これにより、夜景モードを備えた多機能型レンズ付きフイルムユニット２を標準型レンズ付きフイルムユニットに容易に変更することができる。
【００３４】
なお、上記実施形態では、夜景撮影モードや近接撮影モードを備えた多機能型レンズ付きフイルムユニットに、撮影モードを切り替える操作部材の移動を規制する外装ラベルや前カバーを取り付けることで標準型レンズ付きフイルムユニットの撮影モードのみを使用可能にしたが、同様に、標準型レンズ付きフイルムユニットの撮影モードへの切替移動を規制して、夜景シンクロ撮影モードや近接撮影モードのみを使用可能にしてもよい。
【図面の簡単な説明】
【００３５】
【図１】夜景撮影モードを備えたレンズ付きフイルムユニットの外観斜視図である。
【図２】各撮影モードの操作部材の位置を示す説明図である。
【図３】外装ラベルによって操作部材の移動規制を説明する外観斜視図である。
【図４】前カバーによって操作部材の移動規制を説明する説明図である。
【図５】近接撮影モードへの切替を説明する説明図である。
【図６】外装ラベルによって操作部材の移動規制を説明する外観斜視図である。
【図７】前カバーによって操作部材の移動規制を説明する説明図である。
【図８】減光部材の移動を規制する説明する説明図である。
【符号の説明】
【００３６】
４  前カバー
１１  撮影切替部
１９  操作開口部
２０  操作部材
３０  外装ラベル
３５  切替部開口
４６  第２操作部
４８  第２操作開口部
６０  第２開口
【図１】
2005099389.tif 000003
【図２】
2005099389.tif 000004
【図３】
2005099389.tif 000005
【図４】
2005099389.tif 000006
【図５】
2005099389.tif 000007
【図６】
2005099389.tif 000008
【図７】
2005099389.tif 000009
【図８】
2005099389.tif 000010